(57)【要約】【課題】属性に応じて選別された人の分布を地図上において動画として表示することができる装置を提供する。【解決手段】統計情報収集装置３０は、複数の携帯端末１０１〜１０ｎの各利用者の属性と位置とをネットワーク２０を介して複数受信するとともに前記属性と受信時刻とに応じて選別し、選別された利用者の位置を地図上に動画として出力する。【選択図】図１
2009053819.tif 000002
【特許請求の範囲】
【請求項１】
複数の携帯端末の各利用者の属性と位置とをネットワークを介して複数受信するとともに前記属性と受信時刻とに応じて選別し、前記位置を地図上に動画として出力するように構成されたことを特徴とする統計情報収集装置。
【請求項２】
前記属性は、利用者の性別、年齢、職業若しくは住所又はこれらの組合せであることを特徴とする、請求項１に記載の統計情報収集装置。
【請求項３】
前記属性は、利用者の現況を含むことを特徴とする、請求項１又は２に記載の統計情報収集装置。
【請求項４】
前記現況は、利用者が勤務中、買い物中又は運転中であるか否かに係る情報であることを特徴とする、請求項３に記載の統計情報収集装置。
【請求項５】
複数の携帯端末の各利用者の属性と位置とをネットワークを介して複数受信する工程と、
前記位置を前記属性と受信時刻とに応じて選別する工程と、
選別された前記位置を地図上に動画として出力する工程と、を含むことを特徴とする統計情報収集方法。
【請求項６】
前記属性は、利用者の性別、年齢、職業若しくは住所又はこれらの組合せであることを特徴とする、請求項５に記載の統計情報収集方法。
【請求項７】
前記属性は、利用者の現況を含むことを特徴とする、請求項５又は６に記載の統計情報収集方法。
【請求項８】
前記現況は、利用者が勤務中、買い物中又は運転中であるか否かに係る情報であることを特徴とする、請求項７に記載の統計情報収集方法。
【請求項９】
複数の携帯端末の各利用者の属性と位置とをネットワークを介して複数受信する処理と、
前記位置を前記属性と受信時刻とに応じて選別する処理と、
選別された前記位置を地図上に動画として出力する処理と、をコンピュータに実行させることを特徴とする統計情報収集プログラム。
【請求項１０】
前記属性は、利用者の性別、年齢、職業若しくは住所又はこれらの組合せであることを特徴とする、請求項９に記載の統計情報収集プログラム。
【請求項１１】
前記属性は、利用者の現況を含むことを特徴とする、請求項９又は１０に記載の統計情報収集プログラム。
【請求項１２】
前記現況は、利用者が勤務中、買い物中又は運転中であるか否かに係る情報であることを特徴とする、請求項１１に記載の統計情報収集プログラム。
【発明の詳細な説明】
【技術分野】
【０００１】
本発明は、統計情報収集装置、方法及びプログラムに関し、特に、人の分布の統計情報収集装置、方法及びプログラムに関する。
【背景技術】
【０００２】
多数の人の分布やその流れに関する情報は、行政機関における各種の統計調査のみならず、民間企業における経営戦略や販売戦略の立案においても有用である。
【０００３】
これまで、人の位置情報を収集する際には、人手または機械による定点観測が行われてきた。
【０００４】
しかし、このような方法では、観測される人の詳細な属性（年齢、職業又は住所等）を得ることができないという問題があった。すなわち、従来の方法では、大量の人の分布や人の流れを属性に応じて選別することが困難であった。
【０００５】
現在、国内における携帯電話の契約件数は９、０００万件を超え、一人につきほぼ一台が所有されている。また、ＧＰＳを搭載した携帯電話の利用者も増え続けている。携帯電話は使用時においてネットワークに接続されるため、ＧＰＳを搭載した携帯電話の利用者の位置情報は、容易かつ大量に収集することができる。
【０００６】
特許文献１において、携帯端末の使用者の個人情報を個人情報格納手段に格納しておき、一方で、その使用者の携帯端末から使用者の所在地の情報を検出・取得して、これらの使用者の個人情報及びその使用者の所在地の情報を基にして統計処理を行って、マーケティング情報を作成するマーケティング情報作成装置が開示されている。
【０００７】
特許文献２において、複数のユーザそれぞれが使用する複数の携帯情報端末装置から、各ユーザの位置および属性を含むユーザ情報を取得し、取得した複数の前記ユーザ情報をユーザ情報蓄積部に蓄積し、前記ユーザ情報蓄積部に蓄積された複数の前記ユーザ情報に基づいて、各地域に集まる人の傾向を示す地域属性を判定する地域属性判定方法が開示されている。
【０００８】
また、特許文献３において、携帯端末から通行者個人情報を読み取るとともに、通行者数データを日時や場所、個人情報と気象情報やイベント情報とを組み合わせた形で提供する装置が開示されている。
【０００９】
さらに、特許文献４において、カーナビ装置の表示画面へ歩行者の分布などの移動実態情報を表示し、車両の運転者に事故につながりやすい歩行者などの位置を知らせる装置が開示されている。
【００１０】
【特許文献１】特開２００３−０９１６２９号公報
【特許文献２】特開２００４−３４１７６３号公報
【特許文献３】特開２００４−３６２０３８号公報
【特許文献４】特開２００６−２７９８５９号公報
【発明の開示】
【発明が解決しようとする課題】
【００１１】
以下の分析は、本発明者によってなされたものである。
【００１２】
上記の特許文献１ないし３において開示された技術は、人の位置情報をその属性に基づいて選別し、地図上に静止画として表示したり、地域の特性を判別したりするものである。したがって、人の流れ又は人の密度分布の時間的な変化を地図上において動画として把握することができないという問題がある。
【００１３】
また、上記の特許文献４において開示された技術は、歩行者の位置をカーナビの画面へ随時表示するものであるが、歩行者の属性が考慮されていないという問題がある。
【００１４】
そこで、属性に応じて選別された人の分布を地図上において動画として表示することができる装置を提供することが課題となる。
【課題を解決するための手段】
【００１５】
本発明の第１の視点に係る統計情報収集装置は、複数の携帯端末の各利用者の属性と位置とをネットワークを介して複数受信するとともに前記属性と受信時刻とに応じて選別し、前記位置を地図上に動画として出力するように構成されたことを特徴とする。
【００１６】
本発明の第２の視点に係る統計情報収集方法は、複数の携帯端末の各利用者の属性と位置とをネットワークを介して複数受信する工程と、前記位置を前記属性と受信時刻とに応じて選別する工程と、選別された前記位置を地図上に動画として出力する工程と、を含むことを特徴とする。
【００１７】
本発明の第３の視点に係る統計情報収集プログラムは、複数の携帯端末の各利用者の属性と位置とをネットワークを介して複数受信する処理と、前記位置を前記属性と受信時刻とに応じて選別する処理と、選別された前記位置を地図上に動画として出力する処理と、をコンピュータに実行させることを特徴とする。
【００１８】
第１の展開形態の統計情報収集装置は、前記属性が、利用者の性別、年齢、職業若しくは住所又はこれらの組合せであってもよい。
【００１９】
第２の展開形態の統計情報収集装置は、前記属性が、利用者の現況を含むものであってもよい。
【００２０】
第３の展開形態の統計情報収集装置は、前記現況が、利用者が勤務中、買い物中又は運転中であるか否かに係る情報であってもよい。
【００２１】
第４の展開形態の統計情報収集方法は、前記属性が、利用者の性別、年齢、職業若しくは住所又はこれらの組合せであってもよい。
【００２２】
第５の展開形態の統計情報収集方法は、前記属性が、利用者の現況を含むものであってもよい。
【００２３】
第６の展開形態の統計情報収集方法は、前記現況が、利用者が勤務中、買い物中又は運転中であるか否かに係る情報であってもよい。
【００２４】
第７の展開形態の統計情報収集プログラムは、前記属性が、利用者の性別、年齢、職業若しくは住所又はこれらの組合せであってもよい。
【００２５】
第８の展開形態の統計情報収集プログラムは、前記属性が、利用者の現況を含むものであってもよい。
【００２６】
第９の展開形態の統計情報収集プログラムは、前記現況が、利用者が勤務中、買い物中又は運転中であるか否かに係る情報であってもよい。
【発明の効果】
【００２７】
本発明に係る統計情報収集装置によって、属性に応じて選別された人の分布の時間的な変化を地図上において動画として表示することができる。
【発明を実施するための最良の形態】
【００２８】
本発明の実施形態に係る統計情報収集装置について、図面を参照して詳細に説明する。
【００２９】
本発明の実施形態に係る統計情報収集装置３０は、図１を参照すると、複数の携帯端末１０１〜１０ｎの各利用者の属性と位置とをネットワーク２０を介して複数受信するとともに、かかる属性と受信時刻とに応じて選別し、複数の利用者の位置を地図上に動画として出力する。
【実施例】
【００３０】
図１は、本発明の第１の実施例に係る統計情報収集装置のブロック図である。
【００３１】
図２は、本発明の第１の実施例に係る統計情報収集装置の詳細なブロック図である。
【００３２】
統計情報収集装置３０は、図１及び図２を参照すると、サーバ４０及び計算機５０を備える。
【００３３】
サーバ４０は、図２を参照すると、受信部４１、位置記憶部４２、属性記憶部４３、計時部４４、送信部４５を備える。
【００３４】
計算機５０は、図２を参照すると、受信部５１、位置記憶部５２、属性記憶部５３、時刻記憶部５４、選別部５５、地図記憶部５６、出力部５７を備える。
【００３５】
サーバ４０はネットワーク２０を介して携帯端末１０１〜１０ｎと接続され、サーバ４０と携帯端末１０１〜１０ｎとの間では互いに通信をすることができる。
【００３６】
携帯端末１０は携帯電話端末等であって、ＧＰＳ等の機能に基づいて位置を取得する。また、携帯端末１０は、取得した位置を記憶することができることが好ましい。携帯端末１０は、位置と利用者の属性とをネットワーク２０を介して、サーバ４０へ送信する機能を備える。ここで、属性とは、利用者の匿名性が保たれる範囲における利用者の属性を指し、一例として、性別、年齢、職業又は住所等を指す。
【００３７】
サーバ４０は、統計情報を収集するセンタに設置されたワークステーション等の情報処理装置である。
【００３８】
受信部４１は、携帯端末１０１〜１０ｎによって送信された位置及び属性を受信し、位置記憶部４２及び属性記憶部４３は、受信部４１を介して受信した位置及び属性を夫々記録する。
【００３９】
計時部４４は、サーバが利用者の位置及び属性を受信した時刻を計測して送信部４５へ送信する。
【００４０】
送信部４５は、位置記憶部４２、属性記憶部４３、計時部４４から、利用者の位置と属性とこれらの受信時刻とを入力し、計算機５０へ送信する。
【００４１】
計算機５０は、受信部５１を介して、位置、属性及び受信時刻をサーバ４０から受信して、それぞれ位置記憶部５２、属性記憶部５３及び時刻記憶部５４へ記録する。
【００４２】
選別部５５は、位置記憶部５２、属性記憶部５３及び時刻記憶部５４から、利用者の位置、属性、受信時刻を入力し、利用者の位置を属性及び受信時刻に応じて選別して、静止画又は動画として、出力部５７へ出力する。
【００４３】
出力部５７は、地図記憶部５６から地図を読み込み、選別部５５から入力した静止画又は動画を地図に重ねて出力する。
【００４４】
次に、本実施例に係る統計情報収集装置３０の動作について説明する。
【００４５】
図３は、本発明の実施例に係る統計情報収集装置３０のシーケンス図である。
【００４６】
まず、利用者はセンタとの間で定期的に位置情報を送信する旨の契約を結ぶ。その際、利用者の匿名性が保たれることが好ましい。また、利用者には、報酬が与えられるようにしてもよい。
【００４７】
携帯端末１０ｉ（ｉ＝１〜ｎ）は、定期的（一例として、３０分間隔）に、ネットワーク２０を介してサーバ４０へ、利用者の位置及び属性を送信する（ステップＳ１１）。
【００４８】
サーバ４０は、多数の携帯端末１０ｉ（ｉ＝１〜ｎ）から各利用者の位置及び属性を受信する（ステップＳ１２）。サーバ４０は、受信した位置及び属性を自身に備えた位置記憶部４２及び属性記憶部４３に記録し、保持するようにしてもよい。サーバ４０は、利用者の位置と属性と計時部４４によって得られた受信時刻とを、送信部４５を介して計算機５０へ送信する（ステップＳ１３）。
【００４９】
計算機５０は、利用者の位置及び属性並びに受信時刻を、受信部５１によって大量（一例として、ｎは１０万）に受信する（ステップＳ１４）。受信した位置、属性及び受信時刻は、それぞれ位置記憶部５２、属性記憶部５３及び時刻記憶部５４に記録してもよい。
【００５０】
選別部５５は、受信した利用者の位置を、その属性及び受信時刻に応じて選別する（ステップＳ１５）。ここで、利用者の属性は、利用者の年齢又は住所等であってもよい。
【００５１】
出力部５７は、選別された利用者の位置を地図記憶部５６から入力した地図に重ねて出力する（ステップＳ１６）。
【００５２】
計算機５０は、受信時刻に基づいて選別された、利用者の位置を連続的に表示することによって、地図上において動画として表示してもよい。また、計算機５０は、利用者の属性又は受信時刻に基づいて、人の分布をヒストグラムとして出力してもよい。さらに、計算機５０は、利用者の位置を密度分布として表示してもよい。
【００５３】
上記の一連の処理の結果として、例えば、２０代の男性の人口密度が一日の間でどのように変化するかを地図上において動画として取得することができる。これによって、例えば、昼間は、人口密度が都市圏において大きくなる様子を把握することができる。また、例えば、特定の世代に対する、日曜日の年平均の人口分布を静止画として取得することもできる。
【００５４】
統計情報の収集主体は、得られた統計情報を、リサーチ会社、マーケティング会社、又は国若しくは地方自治体等へと販売し、その一部を契約した利用者への報酬としてもよい。
【００５５】
本発明の実施例に係る統計情報収集装置３０による効果について、さらに付言するならば、細分された期間ごとの利用者の位置に基づいて、人の流れや注目する地域の局所的な人口密度を取得することもできる。
【００５６】
したがって、本発明の実施例に係る統計情報収集装置３０によって、例えば以下のような情報を簡易に取得することができる。
・広告を設置するため、駅構内の人の平均的な分布を知りたい場合
・ショッピングモールにおいて他店と来客数を比較するため、来店者数を知りたい場合
・コンビニエンスストアにおいて品物を入荷する際に、周辺の住民がどの時間帯にどの程度滞在しているかを知りたい場合
・都市部における昼夜の人口動態を調べるため、時間帯ごとの人口密度を知りたい場合
・都市部と郊外との間における人の移動状況を調べるため、時間帯ごとの人口密度を知りたい場合
【００５７】
また、本発明の実施例に係る統計情報収集装置３０によって、属性、すなわち、性別、年齢又は住所に応じて利用者を選別することにより、以下の情報を簡易に取得することもできる。
・都市部における３０代の分布
・都市部における男性及び女性の分布
・特定のリゾート地への来訪者の居住地の分布
【００５８】
なお、本実施例における、利用者の属性は、年齢、性別等に限定する必要はなく、勤務中、買い物中、運転中等の利用者の現況を表す情報であってもよい。
【００５９】
上記の計算機５０において、これらの現況に基づいて、利用者をさらに選別することによって、より詳細に区分けされた人の分布を地図に重ねて表示させてもよい。
【００６０】
以上の記載は実施例に基づいて行ったが、本発明は、上記実施例に限定されるものではない。
【図面の簡単な説明】
【００６１】
【図１】本発明の実施例に係る統計情報収集装置のブロック図である。
【図２】本発明の実施例に係る統計情報収集装置の詳細なブロック図である。
【図３】本発明の実施例に係る統計情報収集装置のシーケンス図である。
【符号の説明】
【００６２】
１０、１０１〜１０ｎ  携帯端末
２０  ネットワーク
３０  統計情報収集装置
４０  サーバ
４１、５１  受信部
４２、５２  位置記憶部
４３、５３  属性記憶部
４４  計時部
４５  送信部
５０  計算機
５４  時刻記憶部
５５  選別部
５６  地図記憶部
５７  出力部
【図１】
2009053819.tif 000003
【図２】
2009053819.tif 000004
【図３】
2009053819.tif 000005